(57)【特許請求の範囲】
【請求項１】
相対立する属性間における被検対象の相対的位置を判定する方法であって、前記属性に関係する複数の項目を定め、高速で運動させることのできる表示体上に前記項目に対応する同一面積の領域を設け、各領域内を各項目の被検対象の属否により前記属性と関連付けられた色で着色し、表示体を高速で運動させることにより各項目の着色を混色させ、当該混色を前記属性に対応したカラーレベルバーと対比することを特徴とする相対的位置判定方法。
【請求項２】
表示体の運動が、回転運動または振幅運動である請求項１記載の相対的位置判定方法。
【請求項３】
表示体が、円板状、ベルト状または球状である請求項１記載の相対的位置判定方法。
【請求項４】
表示体が、各項目の領域を着色した基体と、当該領域上に各々貼付したシールよりなり、被検対象の各項目の属否に応じてシールを剥離させるものである請求項１項記載の相対的位置判定方法。
【請求項５】
相対立する属性間における被検対象の相対的位置を判定する方法であって、前記属性に関係する複数の項目を定め、高速で運動させることのできる表示体上に属性と関連付けられた面積の前記項目に対応する領域を設け、各領域内を各項目の被検対象の属否により異なった色で着色し、表示体を高速で運動させることにより各項目の着色を混色させ、当該混色を前記属性に対応したカラーレベルバーと対比することを特徴とする相対的位置判定方法。
【請求項６】
表示体の運動が、回転運動または振幅運動である請求項５記載の相対的位置判定方法。
【請求項７】
表示体が、円板状、ベルト状または球状である請求項５記載の相対的位置判定方法。
【請求項８】
表示体が、各項目の領域を着色した基体と、当該領域上に各々貼付したシールよりなり、被検対象の各項目の属否に応じてシールを剥離させるものである請求項５項記載の相対的位置判定方法。
【発明の詳細な説明】
【０００１】
【発明の属する技術分野】
本発明は被検対象の相対する属性間での相対的な位置の判定方法に関し、更に詳細には、化粧品の対面販売などにおける肌の状態などのチェックや各種アンケートなどを集計する際に便利に利用することができる被検対象の相対する属性間での相対的な位置の判定方法に関する。
【０００２】
【従来の技術】
化粧品や健康食品などの個別対応性の高い商品分野においては、顧客と対面しながら、その人の属性、例えば若いか高年齢かや体質、健康状態などに応じて商品を選定し、販売することが行われている。このような場面では、聞き取りやアンケートなどを元にして顧客の状態を適切に判断する必要がある。
【０００３】
消費者ニーズの多様化に伴い、各顧客に対応した商品を提供するためには顧客の属性判断の材料とすべき項目も多くなり、それらを迅速、的確に把握して総合的な判断を下すことが必要とされる。そして、このためにはコンピュータなどの使用が簡単であるが、常に必要なソフトウエアを内蔵したコンピュータが利用できるわけでない。
【０００４】
【発明が解決しようとする課題】
このような状況において、本発明は、数多くの項目（判断材料）を元に、コンピュータを用いず容易に、しかも客観的な判定を可能にする方法を提供することを課題とする。
【０００５】
【課題を解決するための手段】
本発明者らは、多くの項目を総合的に判定して被検対象の属性を判断しなければならない場合に、被検対象の各項目の属否を所定の色に表現しておき、それらの色を視覚的に混合することにより、数学的計算手段によらず容易に各項目のデータを平均化することができ、総合的で客観的な判定が行えること、しかも、この方法は視覚的でわかりやすいという特徴を有することを見い出し、本発明を完成するに至った。
【０００６】
すなわち本発明は、相対する属性間における被検対象の相対的位置を判定する方法であって、前記属性に関係する複数の項目を定め、高速で運動させることのできる表示体上に前記項目に対応する同一面積の領域を設け、各領域内を各項目の被検対象の属否により前記属性と関連付けられた色で表現し、表示体を運動させることを特徴とする相対的位置判定方法である。
【０００７】
また本発明は、相対する属性間における被検対象の相対的位置を判定する方法であって、前記属性に関係する複数の項目を定め、高速で運動させることのできる表示体上に属性と関連付けられた面積の前記項目に対応する領域を設け、各領域内を各項目の被検対象の属否により異なった色で表現し、表示体を運動させることを特徴とする相対的位置判定方法である。
【０００８】
【発明の実施の形態】
本発明は、「相対する属性」間における被検対象（調査対象）の相対的な位置を求めるものである。例えば「若い」と「年寄」、「脂性」と「乾性」、「健康」と「不健康」、「やせ体質」と「肥満体質」などの身体についての相対する属性、「情熱的」と「知性的」、「論理的」と「情緒的」等の精神的な相対する属性、「進歩的」と「保守的」、「積極的」と「消極的」などの性格に関する相対する属性について、被検対象がどちらの属性にどれだけ近いかの相対的位置を求めるものである。
【０００９】
本発明においては、属性の判断材料となる複数の項目それぞれについて、その項目を、あらかじめ属性と関連付けた色で表現しておくことが必要となる。
具体的にある項目を属性と関連した色で表現するには、まず各項目が両属性とどれだけ強い関連を持っているかを調査しなければならない。
【００１０】
例えば、ある属性ｘと、これと相対する属性ｙ（属性非ｘ）があり、選択された項目Ａについて、属性ｘと分類される人の８０％がＹＥＳ（当てはまる）と回答し、属性ｙと分類された人の３０％もＹＥＳと回答した場合、項目Ａは、８：３で属性ｘにより強い関連を持っていると判断できる。
【００１１】
従って項目Ａについて、ＹＥＳ（当てはまる）との回答は、属性ｘが示す色と属性ｙが示す色の間で、中央より属性ｘが示す色に近い色として表現され、また、ＮＯ（当てはまらない）との回答は、中央の色より属性ｙが示す色に近い色として表現される。なお、各項目の属否（当てはまるか当てはまらないか等）に対して設定する色は、例えば、明度、彩度、色相の異なる色を混合して得られる混合色によって表現してもよく、また、例えば色の付いた点もしくは線などの模様や部分的な塗り分けのように面積比を考慮して表現してもよい。
【００１２】
具体的に、前記のケースで、属性ｘを黒、属性ｙを白で表現する場合、項目Ａについて「当てはまる」は黒灰色で、「当てはまらない」は白灰色で表現される。また、色相の異なる２色を用いるとき、例えば属性ｘを赤、属性ｙを黄で表現する場合は、項目Ａについて「当てはまる」は赤橙色、「当てはまらない」は黄橙色で表現される。
【００１３】
上記において採用される色、例えば黒灰色は、白の面積を２７．３％（３０／１１０％）、黒の面積を７２．７％（８０／１１０％）となるように塗り分けたコマを回転させた時に得られる混色であり、白灰色、赤橙色および黄橙色も同様にして得られる混合色である。
【００１４】
また、塗り分けにより表現する場合では、項目Ａについて当てはまるは、項目Ａを表示する領域全体の面積のうち７２．７％を属性ｘを示す色で、残部を属性ｙを示す色で塗り分ければよい。
【００１５】
上の説明では、簡単のためにＹＥＳ／ＮＯの２つのレベルで説明したが、属否を更に細分し、それぞれを対応する色で表現できることはいうまでもない。例えば、「当てはまる」、「当てはまらない」、「どちらともいえない」の３段階で表現することもできるし、更に「どちらかというと当てはまる」、「どちらかというと当てはまらない」の２段階を加えて５段階とし、これらについて、その回答に対応した色を定め、これで表現しても良い。
【００１６】
上記のように属性と関連付けた色が表現される表示体は、高速で運動させることが可能な形状である必要がある。この運動の例としては、回転運動や振動運動が挙げられ、表示体の具体的形状としては、回転運動に適する円板状、多角形状、ベルト状、球状のものや、振動運動に適する平板状の形状が挙げられる。
【００１７】
運動として回転運動を利用し、表示体として円板状のものを利用する場合、各項目に対応する領域は中心からの放射した線と同心円で形成する扇状とすることが好ましく、またベルト状の回転体を利用する場合は、ベルトを回転方向に垂直に区切った領域とすることが好ましい。
【００１８】
具体的な、円板状の表示体の例を図１および図２に、ベルト状の表示体の例を図３に示す。このうち、図１および図２とも、６個の項目を円板上に同一面積の扇型で示したものであるが、図１は各項目と属性の関係の強さを明度の差で示したものであり、図２は各項目と属性の関係の強さを塗り分け面積の差で示したものである。例えば、属性ｘが黒で表現され、属性ｙが白で表現される場合、項目Ｅ、Ａ、Ｄの順で属性ｘとの関係が強く、逆に、項目Ｃ、Ｆ、Ｂの順で属性ｙとの関係が強いということができる。そして、これらを着色した後、回転させて得られた混合色が、図１の円板で示された被検対象の、属性ｘ−ｙ間の相対的位置を示すのである。なお、相対的位置を知るためには、図５に示すような、属性ｘを黒、属性ｙ（属性非ｘ）を白とする色グラデーションバーを作成し、これと対比すれば良い。  この対比するバーとしては、連続的に色が変化する色グラデーションバーの他、段階的に色が変化するカラーレベルバーを用いても良い。
【００１９】
図２では、属性ｘや属性ｙとの関係の強さや、相対的位置を知るための方法は、図１の場合と同じであるが、属性と各項目の関係の強さを運動（回転）方向に対して垂直に領域中の面積を塗り分けて示した点で相違するものである。なお、図１および図２とも明度の差のみで表現しているが、これを色相や彩度の差を用いても同じ結果を得ることはいうまでもない。
【００２０】
図３は、図４に示すような６つの同一領域に分けたリボン状の材料をつなぎ合わせて、調製したベルト状の表示体である。この例では、属性と項目の間の強弱の関係を考慮せず単に各項目の属否を白か黒かで表したものである。このような形態のものも例えばドラム状の回転体を用いて回転させることにより、被検対象の相対的位置を判定することができる。
【００２１】
各項目の色での表現は、実際に色を塗っても良いが、予め表示体基板に属否の一方の回答の場合の色を印刷しておき、その上に属否の他方の回答の色を印刷した部材を重ね合わせることのできる表示体を作成、利用してもよい。より簡便には、一方の属否の回答を表示した表示体基板に、他方の属否の回答の色を印刷した剥離可能な粘着シールを貼付した表示体を用いても良いし、あるいは、多角形の基板の外側にそれぞれ突片を設けたものを用意し、多角形の内側には属否の一方の回答の場合の色を印刷し、突片の裏側には属否の他の回答の色を印刷しておき、最初は突片を折り曲げて多角形の内側の色を隠しておき、回答に応じてこれを開いたり、取り去るようにしても良い。
【００２２】
上で説明した表示体の一つの具体例としては、図６の左側の表示体基板上に、項目Ａから項目Ｆの「当てはまる」の場合の色（Ａ１からＦ１）を着色し、別に、図６右側のような色の剥離可能な粘着シール上にこれら項目の「当てはまらない」の場合の色（Ａ２からＦ２）を印刷し、基板上に粘着したものが挙げられる。この表示体は、被験対象が「当てはまる」の場合にのみシールを剥がすことによって簡単に各項目を色で表現することができる。
あるいは逆に、表示体基板上に、「当てはまらない」の場合の色（Ａ２からＦ２）を着色し、「当てはまる」の場合の色（Ａ１からＦ１）を粘着シール上に印刷し、被験対象が「当てはまる」の場合にのみ、その項目にシールを貼付することによっても表現できる。
【００２３】
更に、属否の判断が２段階以上である場合（例えば、Ａ３、Ａ４…；Ｂ３、Ｂ４…；…Ｆ３、Ｆ４…）は、各項目に対し複数枚の段階的に表現されたシールや段階的に区分されたシールを用いることにより、その属否の程度に応じ、シールを剥離したり、貼付したりしてより正確に色で表現することが可能である。
【００２４】
また、図１から図３では、同一領域としたが、図７のように、各項目の属性と関連の強さを面積で表示しても良い。この例では、左側の一定の色で着色した表示体基板上に、右側に記載の別の色で着色したシールを各々貼付したものであり、項目Ａから項目Ｆがそれぞれ当てはまるの場合に、シールＡ”からＦ”をそれぞれ剥がし、基体の色Ａ’からＦ’が出るようにしたものである。
【００２５】
この場合の各項目の面積は、各項目の属性に対する関連性の強さにより定められる。例えば、項目Ａの属性Ｘに対する関連性の強さがａ％とし、以下項目Ｆの関連性の強さがｆ％までであるとしたとき、例えば全体の面積Ｓのうち項目Ａに割り当てるべき面積ＳＡは、次のようにして求められる。
Ｓ  ＝  ＳＡ＋ＳＢ＋ＳＣ＋ＳＤ＋ＳＥ＋ＳＦ
ＳＡ＝  Ｓａ／（ａ＋ｂ＋ｃ＋ｄ＋ｅ＋ｆ）
同様に、他の項目に割り当てるべき面積ＳＢ〜ＳＦを求めることができる。
【００２６】
本発明方法を実施するには、表示体が単一の混合色となる程度、つまりその塗り分けが分からない程度の高速で運動させれば良い。このような高速運動させる手段は特に制限されるものではないが、運動として回転運動を用い、表示体として円板状のものを採用した場合は、図８に示すような装置を用いることが便利である。
【００２７】
この装置は、基本的に基体１、ターンテーブル２、回転軸３およびカラーレベルバー４より構成されるものである。１の内部にはモーター（図示せず）が内蔵され、このモーターの駆動力により２が回転する機構になっている。この上に図１に示すような円板状の表示体をのせて回転させれば、各項目の領域の色が混色され、一つの色を示すようになる。この色を４と対比し、その色が示す部分が被検対象のある属性での位置を示すことになるのである。
【００２８】
【実施例】
つぎに実施例を挙げ、本発明を更に詳しく説明するが、本発明はこれに何ら制約されるものではない。
【００２９】
実  施  例    １
肌の若々しさレベル測定：
肌に現れやすい、にきび・吹き出物、べたつき、乾燥、毛穴の目立ち、しみ、くすみ、たるみ、はりのなさのトラブルの各項目を選定した。
これについて、肌の若々しさとの関係の強度を調べた結果、「若々しい」および「老化した」という属性と上記各トラブルの関連性の強さは表１の通りであった。
【００３０】
【表１】
0003625604.tif 000002
（表中の数字の単位は％）
【００３１】
上記の結果を元に、マゼンタ色と黄色を用いて、本実施例で使用する表示体を調製した。表示体としては、円板状で、各項目の領域を同一面積とし、表示体基板上に粘着シールを貼付し、「当てはまる」の場合に粘着シールを剥離するタイプのものを用いた。表示体基板の各項目に着色させる色は、「若々しい」に記載した数字を黄色の割合、「老化した」に記載した数字をマゼンタ色の割合とし、これを混合して得る混合色とした。また、貼り付ける、各項目のシールに着色する色は、基板とは逆に「若々しい」に記載した数字をマゼンタ色の割合、「老化した」に記載した数字をマゼンタ色の割合とした混合色とした。この表示体基板およびシールの色を参考図面として提出する。
【００３２】
一方、黄色とマゼンタ色を対応する割合で順次混合して５段階の混合色を得、黄色が最も強い部分をレベルＩ、マゼンタ色が最も強い部分をレベルＶとするカラーレベルバーを作成した。
【００３３】
この表示体を、被験者に提供し、各項目に記載のトラブルが発生する場合にシールを剥がしてもらい、全ての回答が終わった後回転させた。回転によって得られる混合色を上記のカラーレベルバーと比較し、被験者のレベルを判定した。このレベルは、レベルＩが肌の若々しさが最も高く、数字が大きくなるほど若々しさが低下する（老化している）ことを示すものであり、簡単に肌の若さを判定できた。
【００３４】
【発明の効果】
本発明によれば、多数の項目を数学的に集計して導くことが必要であった属性間の位置を、簡便な方法で客観的に、しかも色という視覚的に認識しやすい手段で判定することができる。
従って、化粧品販売時の肌のカウンセリング用等のデバイスとして有利に利用することができる。
【図面の簡単な説明】
【図１】円板状の表示体において、同一面積の領域を色を変化させて表現した状態を示す図面。
【図２】円板状の表示体において、同一面積の領域を着色割合を変化させて表現した状態を示す図面。
【図３】ベルト状の表示体において、同一面積の領域を着色または非着色で表現した状態を示す図面。
【図４】図３のベルト状表示体を作成するためのリボン状表示体を示す図面。
【図５】ｘに白、ｙに黒を割り当てたときの色グラデーションを示す図面。
【図６】円板状で同一面積の領域を有する表示体基板と、この上に貼付するシールを示す図面。図中、左側が表示体基板であり、右側がこれに対するシールを示す。
【図７】円板状で異なる面積の領域を有する表示体基板と、この上に貼付するシールを示す図面。図中、左側が表示体基板であり、右側がこれに対するシールを示す。
【図８】本発明方法に用いられる位置判定装置を示す図面。
【符号の説明】
１  ・・・  基体
２  ・・・    ターンテーブル
３  ・・・  回転軸
４  ・・・  カラーレベルバー
以    上
【図１】
0003625604.tif 000003
【図２】
0003625604.tif 000004
【図３】
0003625604.tif 000005
【図４】
0003625604.tif 000006
【図５】
0003625604.tif 000007
【図６】
0003625604.tif 000008
【図７】
0003625604.tif 000009
【図８】
0003625604.tif 000010